(57)【要約】      （修正有）【課題】ゴルフ打撃の瞬間におけるゴルフクラブフェイスの方向であるインパクトロフト及びインパクトフェイス向きを簡便に測定するゴルフスイング測定器具を提供する。【解決手段】曲面からなる被打撃面１を有し、該被打撃面１にはゴルフクラブ５のフェイス面６と衝突した場合にその衝突痕が残る衝突位置記録手段３を有しており、被打撃面１あるいはその近傍にはインパクトロフトとインパクトフェイス向きの少なくとも一方を読み取る目盛２が付されており、衝突痕の位置に該当する目盛２を読み取ることで測定を行う。【選択図】図３
0003218465.tif 000002
【実用新案登録請求の範囲】
【請求項１】
ゴルファーがボールを打撃した瞬間のフェイスの方向を示すインパクトロフトやインパクトフェイス向きを測定する器具であって、
曲面からなる被打撃面を有し、
該被打撃面にはゴルフクラブのフェイス面と衝突した場合にその衝突痕が残る衝突位置記録手段を有するとともに、
該衝突痕からインパクトロフトとインパクトフェイス向きの少なくとも一方を読み取る目盛が被打撃面あるいはその近傍に付されたことを特徴とするゴルフスイング測定器具。
【請求項２】
被打撃面が垂直方向もしくは水平方向に半径を有する円弧を構成していることを特徴とする請求項１に記載のゴルフスイング測定器具。
【請求項３】
被打撃面が球面の一部であることを特徴とする請求項１に記載のゴルフスイング測定器具。
【請求項４】
被打撃面が板状に形成され、これを支える脚部を有することを特徴とする請求項３に記載のゴルフスイング測定器具。
【請求項５】
板状の被打撃面の背面に接してゴルフボールを配することが可能な請求項４に記載のゴルフスイング測定器具。
【考案の詳細な説明】
【技術分野】
【０００１】
本考案は、ゴルフにおいて実際にボールを打撃するときのロフト（以下「インパクトロフト」と言う。）とフェイス向き（以下「インパクトフェイス向き」と言う。）の測定方法に関するものであり、特にパッティングにおけるインパクトロフトやインパクトフェイス向きの測定に好適なものである。
【背景技術】
【０００２】
ゴルフにおいては、ゴルフクラブの仕様としてのロフト、フェイス向きがある。これはゴルフクラブヘッドを芝や床につけ、ゴルフクラブを所定の姿勢としたときに、打撃面であるフェイスの向いている方向を示すものであり、フェイスが水平面から上方に向いている角度をロフト、フェイスが意図する打球方向から水平面上で左右にずれている角度をフェイス向きと言う。
【０００３】
実際のプレーにおいては、ゴルファー各自のスイングが異なるため、前記所定の姿勢でボールを打撃しない場合も多く、ゴルフクラブの仕様としてのロフト、フェイス向きでインパクトされることはまれである。そこで、実際にボールを打撃する場合におけるインパクトの瞬間にフェイスが向いている方向を示す前記インパクトロフトとインパクトフェイス向きを測定することで、より適切な仕様を有するゴルフクラブを選択することが可能となる。
【０００４】
インパクトロフトなどを測定する方法は光学的なものや磁気的なものなど古くより数多く提案されているが、装置が大掛かりになる問題を有していたところ（例えば、特許文献１参照）、近年は測定専用のゴルフクラブを用い、非常に簡便にこれを行う方法も提案されつつある（例えば、特許文献２参照）。
【先行技術文献】
【特許文献】
【０００５】
【特許文献１】特開２００４−１９５２４０号公報
【特許文献２】特開平８−２３８３３９号公報
【考案の概要】
【考案が解決しようとする課題】
【０００６】
しかしながら、特許文献２に記載された測定方法は、測定専用のゴルフクラブを用いるため、本当の打撃時と同じデータが得られているのか、信頼性に難がある。ゴルフクラブはロフトやフェイス向きの他に、長さや重量、バランスなど多くの仕様項目があり、そのいずれかが異なればインパクトロフトやインパクトフェイス向きが変わってしまう可能性が十分にあるからである。
【０００７】
本考案は、斯かる実情に鑑み、測定に用いるゴルフクラブを自由に選択でき、かつ簡便で携帯性にも優れたインパクトロフトやインパクトフェイス向きの測定手段を提供しようとするものである。
【課題を解決するための手段】
【０００８】
本考案は、
ゴルファーがゴルフボールを打撃した瞬間のフェイスの方向を示すインパクトロフトやインパクトフェイス向きを測定する器具であって、
曲面からなる被打撃面を有し、
該被打撃面にはゴルフクラブのフェイス面と衝突した場合にその衝突痕が残る衝突位置記録手段を有するとともに、
該衝突痕からインパクトロフトとインパクトフェイス向きの少なくとも一方を読み取る目盛が被打撃面あるいはその近傍に付されたことを特徴とするゴルフスイング測定器具である。
【０００９】
被打撃面はゴルフクラブが衝突する側に向かって凸になっており、ゴルフクラブのフェイス面と一点で衝突させるため、変曲点を有してはいけない。ゴルフボールにより似せるため、および測定のしやすさ、精度を考慮すると、被打撃面の曲率半径は一定とするのが好ましい。被打撃面の形状について具体的に説明すると、インパクトロフトを測定する場合は鉛直方向に半径を有する円弧、インパクトフェイス向きを測定する場合は水平方向に半径を有する円弧となっているのが望ましく、インパクトロフトとインパクトフェイス向きの両方を同時に測定する場合は球面であるのが望ましい。被打撃面にはその中央を示す印を設けるのも好適である。
【００１０】
被打撃面の曲率半径は大きくした方が同じ角度の違いでも差が明確となるので好ましい。とはいえ、余り曲率変形を大きくして平面に近づけると衝突痕が大きくなってしまい、測定精度が下がるおそれもある。考案者らの検討によれば50〜65mm程度の曲率半径が適当であって、特に半径57.3mmとするとインパクトロフトあるいはインパクトフェイス向き1度の差がほぼ1mmとなり、目盛の製作も容易となる。
【００１１】
被打撃面は底面から21mm±5mmの位置が垂直となっているのがより望ましい。底面から21mm±5mmの位置が垂直とは、被打撃面上の全ての点においてその点の接する平面の法線ベクトルを定義した場合に、該法線ベクトルが水平になるのが本器具の底面から21mm±5mmの高さの位置との意味である。ゴルフボールの半径はほぼ21mmなので、底面か21mmの位置が垂直になっており、本考案品の被打撃面もこれと同じ程度にすることで、実際の打撃に近い測定を可能とするものである。
【００１２】
衝突位置記録手段は、その打撃した位置の目盛を読み取るためのものであるから、特に方法は限定されないが、感圧紙を貼り付ける方法、粉末や塗料などを塗布して痕が残るようにする方法などが簡便である。
【００１３】
本考案品の作用について説明する。本考案品は被打撃面をゴルフボールと全く同様にゴルフクラブにて打撃して用いる。被打撃面は曲面であるため、インパクトロフトやインパクトフェイス向きが異なると、ゴルフクラブのフェイス面と衝突する位置が異なることとなるが、被打撃面には衝突位置記録手段があるため、その衝突位置が衝突痕として記録されている。被打撃面あるいはその近傍には目盛が付されているので、前記衝突痕の位置に該当する目盛を読むことによってインパクトロフトとインパクトフェイス向きの少なくとも一方を測定することができるものである。
【００１４】
本考案品は水平な面の上に設置した後にゴルフクラブで打撃して使用されるものであるが、この設置時に常に目盛が正しい角度となるような設置手段を有する必要がある。具体的には床と接する底面を水平な面とするか、もしくは複数の面が床と接触するようにするなどが考えられるが、本考案品を常に同じ姿勢で設置できるのであれば具体的手段は限定されるものではない。
【考案の効果】
【００１５】
本考案のゴルフスイング測定器具によれば、ゴルファーがゴルフボールを打撃した瞬間のフェイスの方向を示すインパクトロフトやインパクトフェイス向きを、簡便に測定できるという優れた効果を奏し得る。
【図面の簡単な説明】
【００１６】
【図１】実施例１を斜め上方より見た斜視図
【図２】実施例１の左側面図
【図３】実施例１の使用状態を表す左側面図であり、ゴルフクラブで打撃する瞬間を表したものである。
【図４】実施例１の使用状態を表す斜視図であり、ゴルフクラブでの打撃により衝突痕が付いた状態を表すものである。
【図５】実施例２の右側面図
【図６】実施例２の上面図
【図７】実施例３の右側面図
【図８】実施例３の上面図
【図９】実施例３の正面図
【図１０】実施例４の右側面図
【図１１】実施例４の上面図
【図１２】実施例４の正面図
【図１３】実施例５の右側面図
【図１４】実施例５の上面図
【図１５】実施例５の正面図
【図１６】実施例５をゴルフボールと同時に使用する場合の右側面図
【図１７】実施例５をゴルフボールと同時に使用する場合の上面図
【図１８】実施例５をゴルフボールと同時に使用する場合の正面図
【図１９】図１６〜図１８に示した実施例５にて、実際に測定を行う場合を示す図
【図２０】図１６〜図１８に示した実施例５にて、実際に測定を行う場合を示す図
【考案を実施するための形態】
【００１７】
以下、本考案の実施の形態を、添付図面を参照して説明する。
【実施例１】
【００１８】
図１は実施例１の斜視図、図２は実施例１の側面図である。本実施例の被打撃面１は垂直方向に半径を有する円弧となっており、インパクトロフトのみを測定することが可能である。
【００１９】
図２のように置いた状態で被打撃面１をゴルフクラブにて打撃して使用する。打撃の瞬間、即ち被打撃面１とゴルフクラブヘッド５の衝突の瞬間を表したのが図３である。この衝突によって、図４のように被打撃面１の衝突位置記録手段３には衝突痕４が残るが、曲面である被打撃面１は衝突の際のゴルフクラブヘッド５のフェイス面６と接線が一致する位置にて衝突する。よって、この衝突痕４の位置に該当する目盛２を読むことによりインパクトロフトを測定することができる。
【００２０】
実施例１は、被打撃面１や目盛２を有する部分をゴルフボールに取り付けて構成されている。もちろん、ゴルフボールが無く、被打撃面１や目盛２を有する部分のみが自立し、打撃可能になっているものでも十分に機能する。
【００２１】
本実施例では衝突位置記録手段として、被打撃面１に感圧紙を貼り付けている。ショットマーカー等の名称にて打撃位置を測定するための感圧紙がゴルフ用品の一つとして市販されているので、これを用いるのが簡便である。粉末を塗布するなど、衝突痕が残る手段であれば、他の手段に置き換えることはなんら制限されない。
【実施例２】
【００２２】
図５〜図６は考案の実施例２を示すものあって、実施例１と同じインパクトロフトの測定を行うためのものである。
【００２３】
本実施例はボール状の部分に基準線７が設けられていることと、被打撃面１が水平方向にわずかな曲率を有する点が実施例１と異なる。基準線７がボールを転がす方向と直角な方向にひかれていることにより、被測定者は打撃する方向を明確に認識しやすくなる。被打撃面１が水平方向にわずかな曲率を有する曲面となっていることにより、インパクトフェイス向きが0度から少々外れても明確な衝突痕が付きやすくなる。実施例１のように被打撃面１が水平方向の曲率を持たない場合、即ち水平方向には平らである場合、フェイスが大きく左右を向いて衝突をすると、斜めの衝突となるため、被打撃面１の端部のみに衝突痕がつくこととなり、目盛を正確に読むことが難しくなり得るからである。
【実施例３】
【００２４】
図７〜図９は考案の実施例３を示すものであり、インパクトフェイス向きの測定を行うためのものである。
【００２５】
本実施例は、実施例２の被打撃面１や目盛２が90度向きをかえたものであって、被打撃面１の半径方向が水平方向となっていて、インパクト時のフェイス向きに一致する被打撃面１上の位置に衝突痕が残り、これによってインパクトフェイス向きを測定するものである。
【００２６】
実施例２が水平方向にわずかな曲率を有したのと同様、本実施例は垂直方向にわずかな曲率を有している。これによりインパクトロフトに関わらず、明確な衝突痕が得られ、測定の精度を確保するものである。
【００２７】
また、本実施例は基準線７が打球方向とその直角方向にひかれている。これは実施例２と同様、被測定者に打撃方向を明確に認識させるためのものである。
【００２８】
更に、本実施例は被打撃面１や目盛２を有する部分が水平方向に延びており、床とは接しないため、足８が必要となる。これにより、床などの上に置いた場合に被打撃面１が常に同じ姿勢になる。
【実施例４】
【００２９】
図１０〜図１２は考案の実施例４を示すものであり、インパクトロフトとインパクトフェイス向きの両方を同時に測定可能なものである。
【００３０】
被打撃面１は球面の一部となっているので、フェイス面と法線方向の一致する部分で衝突する。被打撃面１には目盛２がます目上に記されているので、これによりインパクトロフトとインパクトフェイス向きの両方を同時に測定することが出来る。
【００３１】
本実施例の場合の衝突位置記録手段は、被打撃面１に粉末などを塗布する方法が望ましい。実施例１〜３と異なり、目盛２が被打撃面１上にあるため、感圧紙を被打撃面１に貼ってしまうと目盛を読みにくいためである。もしくは、感圧紙に目盛２を入れる方法も考えられる。その場合は感圧紙を貼る位置を一定にするための手段が必要となる。本実施例も実施例３と同様、足８が必要となる。
【実施例５】
【００３２】
図１３〜図２０は考案の実施例５を示すものであり、実施例４と同様、球面の一部からなる被打撃面１を有し、被打撃面１の上には目盛２が記され、インパクトロフトとインパクトフェイス向きの両方を同時に測定可能なものである。
【００３３】
本実施例は水平方向に伸びた足８を有しており、図１４に示すように足８を打撃方向に開いたＵ字型にすれば、図１６〜図１８に示すようにゴルフボール９を置いて使うこともできる。これにより、より実際の打撃に近い状態での測定が可能となる。
【００３４】
また、図１６〜図１８に示すように、被打撃面１の背面にボール９が接するように置くとより明確な衝突痕が得られる。
【００３５】
図１９〜図２０には実施例５にて実際に測定を行う場合を示した。図１９はパター型のゴルフクラブにて打撃を行った場合であり、ゴルフクラブヘッド５が被打撃面１に衝突する瞬間を示している。この衝突により、衝突位置記録手段の施された被接触面１上には、衝突痕４が残る。この状態を示したのが図２０である。
【００３６】
図２０に示された本実施例の目盛２であるが、中央の小丸がインパクトロフト、インパクトフェイス向きともに0度を示し、それぞれ2度ピッチで線を引いたものであるから、衝突痕の中心の位置より、インパクトロフトが5度、インパクトフェイス向きが右向き（いわゆるオープン）2度となる。なお、目盛のつけ方、ピッチなどは本実施例の状態に限られるものではない。
【産業上の利用可能性】
【００３７】
本考案のゴルフスイング測定器具は、ゴルフスイングの測定を行い、各ゴルファーに適したゴルフクラブの仕様を探し出す、いわゆるゴルフクラブフィッティングに利用することができる。
【符号の説明】
【００３８】
１：被打撃面
２：目盛
３：衝突位置記録手段
４：衝突痕
５：ゴルフクラブヘッド
６：ゴルフクラブヘッドのフェイス面
７：基準線
８：足
９：ゴルフボール
【図１】
0003218465.tif 000003
【図２】
0003218465.tif 000004
【図３】
0003218465.tif 000005
【図４】
0003218465.tif 000006
【図５】
0003218465.tif 000007
【図６】
0003218465.tif 000008
【図７】
0003218465.tif 000009
【図８】
0003218465.tif 000010
【図９】
0003218465.tif 000011
【図１０】
0003218465.tif 000012
【図１１】
0003218465.tif 000013
【図１２】
0003218465.tif 000014
【図１３】
0003218465.tif 000015
【図１４】
0003218465.tif 000016
【図１５】
0003218465.tif 000017
【図１６】
0003218465.tif 000018
【図１７】
0003218465.tif 000019
【図１８】
0003218465.tif 000020
【図１９】
0003218465.tif 000021
【図２０】
0003218465.tif 000022
【手続補正書】
【提出日】平成30年8月20日(2018.8.20)
【手続補正１】
【補正対象書類名】実用新案登録請求の範囲
【補正対象項目名】請求項５
【補正方法】変更
【補正の内容】
【請求項５】
水平方向に伸びた足を更に有しており、当該足を打撃方向に開いたＵ字型にすることにより、板状の被打撃面の背面に接してゴルフボールを配することを特徴とする請求項４に記載のゴルフスイング測定器具。